(57)【特許請求の範囲】
【請求項１】
生体に与える影響要因に対する反応の程度と、前記影響要因及び前記反応の程度に応じた受容可能レベルへの変換設定の中から、ユーザの性質に応じた前記設定が選択されることにより、前記受容可能なレベルが設定される受容可能レベル設定手段と、
入力された画像情報中の、前記生体に与える影響要因を抽出する抽出手段と、
前記受容可能レベル設定手段で設定された受容可能レベルに応じて、前記入力された画像情報中の影響要因のレベルを、前記抽出手段が抽出した影響要因に対応する受容可能なレベルに変換するレベル変換手段と、
前記レベル変換手段が影響要因をレベル変換した後の入力画像情報を表示する表示手段とを備える画像表示装置。
【請求項２】
生体に影響を与える要因を含んだテストパターンを記憶したテストパターン記憶手段を備え、
前記受容可能レベル設定手段での設定値は、前記テストパターンを用いて判定された判定結果に基づいて設定される請求項１に記載の画像表示装置。
【請求項３】
前記抽出手段が抽出する要因は、少なくとも前記画像情報中の周波数，スペクトル強度，空間周波数，空間周波数スペクトル強度，色，形，画像変化強度のいずれか１つであることを特徴とする請求項１に記載の画像表示装置。
【請求項４】
前記設定は、特有の色の繰り返し画像に対して敏感なユーザの性質に応じて、前記繰り返し画像中の前記特有の色を別の色に置き換える設定である請求項１に記載の画像表示装置。
【発明の詳細な説明】
【０００１】
【発明の属する技術分野】
本発明は、画像表示装置に関し、特に画面表示される画像が人体に悪影響を与えないようにした画像表示装置に関する。
【０００２】
【従来の技術】
近年、テレビ画像やビデオゲーム画像が、画像表示装置の画面を見つめている人間（生体）に対して与える影響が懸念されている。例えば、児童がテレビのアニメ番組を視聴中に、光過敏性癲癇（てんかん）を誘発された事例も新聞等で報道されており、深刻な問題となっている。
【０００３】
かかる問題の対策としては、現在のところ２つある。
第１の対策は、イギリスのテレビ放送内規のように、危険な刺激パターンの放映を禁止してしまうものである。このテレビ放送内規では、例えば３Ｈｚ以上の周波数の繰り返し刺激の放映が禁止されている。３Ｈｚとした理由は、光過敏性てんかんの素因をもつ生体にとっては、１０数Ｈｚ程度で赤が含まれる色の繰り返しが、特に危険とされているからである。
第２の対策は、例えば光過敏性てんかんの素因をもつ人は、該当する病気（光過敏性てんかん）を誘発するおそれのあるテレビ画像等を見ないようにすることである。
【０００４】
【発明が解決しようとする課題】
しかしながら、前記第１の対策は、例えば光過敏性てんかんの素因をもつ人にとっては有効であり安全であるが、前記素因を持たない人にとっては、各種の映像表現を楽しむ可能性が狭められてしまうことになる。
また、前記第２の対策は、素因を持つ該当者に対してテレビ画像等の魅力・各種映像表現そのものを奪ってしまうことになり、例えば素因を持たない児童の間で評判のテレビアニメ番組を、素因を持つ児童等は見ることができないことになってしまう。
【０００５】
なお、前述の光過敏性てんかんの他にも、例えば手ぶれ画面や故意に揺らした画像等が、一部の人に対しては非常な不快感を催させたり、危険を及ぼしたりする場合がある等、テレビ画像が生体に悪影響を与えるケースが多数存在しているという事実がある。
【０００６】
以上に述べたテレビ画像等が人体に悪影響を与えることがあるという問題の本質は、「不快感・危険などの種類・程度が個々人によって異なっており、多くの人にとっては問題の無い映像が、一部の人にとっては有害である」ということにあるが、観点を変えると従来のテレビ（画像表示装置）はそのような個人差にまで配慮していない、ということができる。
【０００７】
そこで本発明の課題は、画面表示される映像から受ける個々人への悪影響を抑制することが可能な画像表示装置を提供することである。
【０００８】
【課題を解決するための手段】
前記課題を解決するために本発明は、生体に与える影響要因に対する反応の程度と、前記影響要因及び前記反応の程度に応じた受容可能レベルへの変換設定の中から、ユーザの性質に応じた前記設定が選択されることにより、前記受容可能なレベルが設定される受容可能レベル設定手段と、前記受容可能レベル設定手段で設定された受容可能レベルに応じて、前記入力された画像情報中の影響要因のレベルを、前記抽出手段が抽出した影響要因に対応する受容可能なレベルに変換するレベル変換手段と、前記レベル変換手段が影響要因をレベル変換した後の入力画像情報を表示する表示手段とを備えたことを特徴とする。
【０００９】
このようにすれば、例えば光過敏性てんかんの素因を持つ人は、自分が受容可能な繰り返し刺激のレベルに受容可能レベル設定手段によって設定し、この設定した受容可能レベルにレベル変換手段が変換して、その素因を持つ人にとって悪影響を与えないレベルの繰り返し刺激で入力画像情報を表示手段に表示することができるので、その素因を持つ人は、繰り返し刺激を受ける映像を楽しんでも、その繰り返し刺激からは悪影響を受けることが無い。
【００１０】
【発明の実施の形態】
以下、本発明の画像表示装置を図示の実施の形態に基づいて説明する。
【００１１】
（１）第１の実施の形態
図１は本実施の形態の画像表示装置Ｄの要部のブロック図であり、図２は画像表示装置Ｄを構成する変換部３０のブロック図である。
図１，図２に示す如く、画像処理装置Ｄは、入力した画像情報Ｉを生体安全の視点から抽出する「抽出手段」である抽出部１０と、該抽出部１０が抽出した画像情報の要因の内、放置するとユーザＵにとって有害（悪影響を受けること）となる要因を、ユーザＵが自分にとって安全な（受容可能な）レベルに設定可能な「受容可能レベル設定手段」である設定部２０と、該設定部２０からの設定レベルに応じて画像情報Ｉを生体に安全なレベルに変換する「レベル変換手段」である変換部３０と、該変換部３０がレベル変換済の出力を表示する表示部４０（例えば、一般のテレビジョン受像機のＣＲＴ製モニタ）とを備えている。
【００１２】
抽出部１０は、予め指定された手段により影響を与える危険要因を抽出する。例えば、光過敏性てんかんの素因を持つ人にとって有害であるとされる３Ｈｚ以上の繰り返し刺激や、手ぶれ画像，斜め揺れ画像等の要因の存在を分析して抽出し、その程度を定量化する。
【００１３】
設定部２０は、機能解除を含め、個々の危険要因とこの危険要因を安全なレベルに変換する設定を行い、次に説明する変換部３０によって、設定部２０の設定内容を考慮して画像データを変換する。光過敏性てんかんの場合は、ユーザの性質（素因の種類、程度、敏感さ）により、例えば次の素因の程度を選択して変換する。なお、ここに挙げたユーザの性質の程度はあくまでも例示であり、これら例示以外に様々なものがある。
▲１▼繰り返し画像に対して、非常に敏感な場合→例えばローパスフィルタを通し３Ｈｚ以上の繰り返し画像をカットする。
▲２▼繰り返し画像に対して、中程度に敏感な場合→３Ｈｚ以上の繰り返し画像のスペクトル強度を１／２にする。
▲３▼繰り返し画像に対して、中程度以下に敏感な場合→１０Ｈｚ以上の繰り返し画像の周波数を１／４に落とす。
▲４▼赤を含む繰り返し画像に対して、敏感な場合→３Ｈｚ以上の赤を含む繰り返し画像のうち、色を白に置き換える。
【００１４】
評価する項目としては、周波数，スペクトル強度，空間周波数，空間周波数スペクトル強度，色，形，画像変化強度等、様々な項目がある。
また、設定の際には、ユーザの性質（素因の種類、程度）に応じて値を設定する。光過敏性てんかんの素因を持つ人であれば、繰り返し画面の周波数，スペクトル強度，色等に対して値を設定する。その変換方法としては、（時間と空間の両方に関して）周波数の低減およびスペクトル強度の低減，色の置き換え（例えば、赤をピンクに置き換え、赤を白に置き換え），ぼかし等が考えられる。
【００１５】
前記変換部３０の動作を、繰り返し刺激の評価機能を例にして説明する。
図２に示すように、画像情報Ｉをメモリ部３２と変換制御部３１の両方に入力し、例えば画像情報Ｉの内の１０秒程度の時系列画像データ（図３参照）をメモリ部３２に記憶しておき、変換制御部３１の制御の下に変換演算部３３で各フィールド毎の２次元画像データの空間的光強度に対してＦＦＴ(Fast Fourier Transformation) を行い、その周波数とスペクトル強度を求め、画像における繰り返し刺激を定量化し、入力画像情報Ｉを安全なレベルに変換して表示部４０に向けて出力する。
【００１６】
前記光強度の代わりに赤色強度を評価する場合には、変換演算部３３により赤色のみの繰り返し強度と周波数を定量化するようにし、前述と同様に安全なレベルに変換して表示部４０へ出力すればよい。
【００１７】
ここで、図３に示すように、評価の対象とする時間の区間は、画像情報Ｉの入力している任意の時間区間に設定でき（例えば区間Ｔ1 やＴ2 ）、重複する時間区間列（例えば１秒の区間を０．１秒ずつずらした区間列）を対象とすることも可能であり、この場合は、画像が持っている危険因子をいち早くチェックできるというメリットがある。
【００１８】
なお、これらの機能の実現には、ディジタル信号処理で行うのが現実的であるが、例えばアナログ的な信号処理で行ってもよい。
【００１９】
また、これらの機能は、リアルタイムで処理するか、またはほぼリアルタイムで処理することが望ましいが、ビデオテープ等に記録された画像を十分に時間をかけて、解析・変換して記録しておくことも可能である。具体的には、例えば動きの激しい２時間のアニメ画像のビデオテープを、前記素因を持つ人が安全に鑑賞することが可能なように処理する時間が４時間必要であるとする。この場合には、例えば夜中に４時間かけて安全な処理を行い、安全処理済の画像を別のビデオテープに記憶し、前記素因を持つ人はこの処理済の画像を例えば昼間に鑑賞するようにしてもよい。
【００２０】
（２）第２の実施の形態
図４は本実施の形態のブロック図である。
本実施の形態は、画像処理装置Ｄに「テストパターン記憶手段」であるテストパターン部５０を追加設置した場合である。
図４に示すように、光過敏性てんかん等の各種の影響を与えるテストパターンをテストパターン記憶部５０に記憶しておき、ユーザＵはテストパターン選択部５１を介して所望のテストパターンを選択して表示部４０に表示させる。
【００２１】
このようにすれば、例えば一般家庭において、我が子が光過敏性てんかんの素因を持っていると知っている場合に、母親が予めテストパターン選択部５１から光過敏性てんかんの程度に応じたテストパターンを選択して表示部４０に表示させ、わが子に見させる。この際の子供の反応を母親が観察し、その子供にとってどの程度の繰り返し画像であれば、安全であるかのおよその判断をすることができるので、この確認した程度に応じて設定部２０からレベル設定を行い、表示部４０に表示させるようにする。従って、安心して子供にレベル変換済の繰り返し画像を見させることができる。
【００２２】
【発明の効果】
以上説明したように本発明によれば、以下の効果を奏することができる。
▲１▼テレビ（画像処理装置）自体が画像の生体安全性を判断・改善する機能を持つことにより、生体に対してより安全な画像を提供することができる。
▲２▼危険性を定量的に評価し、更にユーザによる設定（レベル設定と変換方法の指定）ができるので、様々な人々、様々な人々の組み合わせに対して、安全な画像変換を行うことが可能になる。
【図面の簡単な説明】
【図１】本発明の第１の実施の形態のブロック図である。
【図２】同第１の実施の形態における変換部の詳細構成を示すブロック図である。
【図３】同第１の実施の形態における評価の対象とする時間区間を説明する概念図である。
【図４】本発明の第２の実施の形態のブロック図である。
【符号の説明】
Ｉ…画像情報、ＴＶ…画像表示装置、Ｕ…ユーザ、１０…抽出部、２０…設定部、３０…変換部、３１…変換制御部、３２…メモリ部、３３…変換演算部、３４…レベル変換部、４０…表示部、５０…テストパターン部
【図１】
0004218086.tif 000002
【図２】
0004218086.tif 000003
【図３】
0004218086.tif 000004
【図４】
0004218086.tif 000005